(57)【要約】  エアゾール式内容物放出機構のステムガスケット下中央エッジ部分の静止モード倣い変形を抑制し、かつステムの静止モード位置を確実に保持するとともに、ステムとステムガスケットとの間のシール作用の維持化を図る。  例えば、図１〜図３を参照するに、ステム(1)に、環状肩部(1d)の下端側からそれぞれ下外側に延びる態様の縦リブ状部(1f)を設けた。隣同士の縦リブ状部間には環状肩部(1d)から続いて外方下り傾斜のテーパ状底面(1j)を有する縦凹状スペース(1h)が設定される。縦凹状スペース(1h)は、環状肩部(1d)に付着して静止モード復帰時のステムガスケットによってかき落とされる残留内容物の落下空間域として作用する。ステムガスケット(3)は、静止モードのとき、中央開口下側周面(3b)が環状肩部(1d)に密接し、その外近傍の内端側環状底面(3c)が縦リブ状部(1f)の水平上面(1g)に密接する。
2017115546.tif 000002
【特許請求の範囲】
【請求項１】
容器本体に収容された内容物の流入用孔部およびその下流側の通路部を有するステム，前記ステムを収容して前記容器本体の内容物が流入するハウジング、および前記ハウジングに保持されて前記ステムとの間のバルブ作用を呈する中央開口のステムガスケットからなる内容物放出機構において、
前記ステムは、
前記流入用孔部の下側に下広がり態様で形成された環状肩部と、
前記環状肩部の下端側からそれぞれ下外側に延びる態様で周方向飛び飛びに複数形成されて、それぞれの隣同士の間に前記環状肩部から続く凹状スペースを設定する縦リブ状部と、を備え、
前記ステムガスケットは、静止モードのとき、
前記中央開口の周面下端側が前記環状肩部に密接し、
前記中央開口の外近傍底面が前記縦リブ状部の上面に密接する態様で、前記ハウジングに保持されている、
ことを特徴とする内容物放出機構。
【請求項２】
前記縦リブ状部の上面は、
水平上面である、
ことを特徴とする請求項１記載の内容物放出機構。
【請求項３】
前記凹状スペースは、
外方下り傾斜状底面を有している、
ことを特徴とする請求項３記載の内容物放出機構。
【請求項４】
請求項１乃至３の何れかに記載の内容物放出機構を備え、かつ、噴射用ガスおよび内容物を収容したエアゾール式製品。
【発明の詳細な説明】
【技術分野】
【０００１】
本発明は、エアゾール式製品の容器本体に収容された内容物を外部空間域へ放出するためのステム，ステムガスケットおよびハウジングなどの関連構成を対象とした内容物放出機構に関する。【０００２】
特にステムガスケットの中央開口下端側およびその外近傍底面からなる環状の下中央エッジ部分において、静止モードの、下広がりテーパ面状のステム環状肩部との常時密接にともなう外方への過度な倣い変形を生じない、ようにした内容物放出機構に関する。【０００３】
なお、静止モードにおいてステムガスケットの中央開口下端側などとの当接係止状態に設定されるステム環状肩部は、ステムを、ステムガスケットから抜けることなくその静止モードに位置決めして保持するための構成要素である。【０００４】
本明細書では適宜「ステムガスケットの中央開口下端側およびその外近傍底面からなる環状の下中央エッジ部分」を単に「ガスケット下中央エッジ部分」といい、「下広がりテーパ面状のステム環状肩部」を単に「ステム環状肩部」または「環状肩部」という。【０００５】
また、ステムの長手方向、すなわち各図の上下方向を「縦」，「上下」といい、これと直交する方向を「横」という。【０００６】
本発明の内容物放出機構は、ガスケット下中央エッジ部分を、ステム環状肩部とその下端側から下外方に延びる縦リブ状部の水平上面とでいわば分散して受けることにより、ステム環状肩部が過度にステムガスケットへ食い込むのを阻止している。【０００７】
この過度な食込み阻止によってガスケット下中央エッジ部分のステム倣い変形が少しでも抑えられ、ステムの直円筒状部および環状肩部の各外周面と、ステムガスケットの内周面との間の良好な初期シール状態が内容物放出機構の多回数使用後も維持されやすい。【０００８】
また、ステム環状肩部の下端部分の下側には縦リブ状部間のテーパ状底面付きの縦凹状スペースを連続設定し、このスペースに、作動モードから静止モードへの復帰時にステムガスケットでかき落とされるステム外周面の付着内容物をいわば仮収容している。【０００９】
この縦凹状スペースに、ステム外周面（直円筒状部外周面および環状肩部外周面）からの被かき落し内容物を収容することにより、作動モード終了後にこの被かき落し内容物がステムガスケットとステム外周面との間に挟み込まれにくい形に設定している。【００１０】
縦凹状スペースに仮収容された内容物はそのテーパ状底面を経てハウジングの底面側内部空間域に落下する。
【背景技術】
【００１１】
エアゾール式製品のステムに、ステム環状肩部と、その下端部分から下方に連続する縦凹状スペースとを設けること自体はすでに提案されている（特許文献１参照）。【００１２】
この静止モードにおけるステムガスケットの中央開口周面は、特許文献１の図４および図５で明示されるように、もっぱらステム環状肩部上端側のステム直円筒状部に密接するだけであって、ステム環状肩部の傾斜部〔1b〕には密接していない。【００１３】
静止モードのステムを積極的に保持してステムガスケットから上方へと抜けないようにしているのは、ステムガスケットの下面外端部分に設けられた係止リング〔9〕である。また、これに係止されるのはステムガスケットの突起〔1e〕の上端面となる。
【先行技術文献】
【特許文献】
【００１４】
【特許文献１】特開２００４−１１５３７２号公報
【発明の概要】
【発明が解決しようとする課題】
【００１５】
上記従来の内容物放出機構の場合、作動モードから静止モードへの復帰時にステムガスケットの中央開口周面がステム環状肩部と当接することはない。【００１６】
そのため、作動モードにおいてステム環状肩部の外周面に付着した内容物が静止モードへの復帰時にステムガスケットの中央開口周面で掻き落とされるといった動作は生じえない。【００１７】
すなわち、ステム環状肩部への付着内容物や、ステム直円筒状部に付着していてステムガスケットの中央開口周面により掻き落とされた内容物が、ステム環状肩部で堆積するという問題点があった。【００１８】
本発明は、静止モードにおける上述のガスケット下中央エッジ部分を、ステム環状肩部と、その下端側から下外方に連続する周方向飛び飛びの縦リブ状部の水平上面で受けて、ステム環状肩部の付着内容物の除去およびステム位置決めの確実化を図ることを目的とする。【００１９】
また、静止モードのガスケット下中央エッジ部分の受け作業をステム環状肩部と縦リブ状部水平上面とで共同負担し、これによりステム環状肩部の径方向長さがそれ単独の場合よりも短縮されてこのエッジ部分の倣い変形の軽減化を図ることを目的とする。
【課題を解決するための手段】
【００２０】
本発明は、以上の課題を次のようにして解決する。
（１）容器本体(例えば後述の容器本体７)に収容された内容物の流入用孔部(例えば後述のステム孔部１ｃ)およびその下流側の通路部(例えば後述のステム通路部１ｂ)を有するステム(例えば後述のステム１)，前記ステムを収容して前記容器本体の内容物が流入するハウジング(例えば後述のハウジング２)、および前記ハウジングに保持されて前記ステムとの間のバルブ作用を呈する中央開口（例えば後述の中央開口上側周面３ａ，中央開口下側周面３ｂ）のステムガスケット(例えば後述のステムガスケット３)からなる内容物放出機構において、
前記ステムは、
前記流入用孔部の下側に下広がり態様で形成された環状肩部（例えば後述のステム環状肩部１ｄ）と、
前記環状肩部の下端側からそれぞれ下外側に延びる態様で周方向飛び飛びに複数形成されて、それぞれの隣同士の間に前記環状肩部から続く凹状スペース（例えば後述の縦凹状スペース１ｈ）を設定する縦リブ状部（例えば後述の縦リブ状部１ｆ）と、を備え、
前記ステムガスケットは、静止モードのとき、
前記中央開口の周面下端側（例えば後述の中央開口下側周面３ｂ）が前記環状肩部に密接し、
前記中央開口の外近傍底面（例えば後述の内端側環状底面３ｃ）が前記縦リブ状部の上面（例えば後述の水平上面１ｇ）に密接する態様で、前記ハウジングに保持された、
構成態様のものを用いる。
（２）上記（１）において、
前記縦リブ状部の上面は、
水平上面である、
構成態様のものを用いる。
（３）上記（１），（２）において、
前記凹状スペースは、
外方下り傾斜状底面（例えば後述の外方下り傾斜のテーパ状底面１ｊ）を備えた、
構成態様のものを用いる。【００２１】
本発明は、このような構成の内容物放出機構およびこの内容物放出機構を備えたエアゾール式製品を対象としている。
【発明の効果】
【００２２】
本発明は以上の構成からなる内容物放出機構により、
(11)ステム環状肩部の付着内容物の除去の良好化およびステム位置決めの確実化を図ることができ、
(12)ガスケット下中央エッジ部分をステム環状肩部と縦リブ状部水平上面との共同負担によって受けるので、ステム環状肩部の単独負担の場合よりもその径方向長さが十分短縮可能であってこのエッジ部分の静止モードでの倣い変形の軽減化を図ることができる。
【図面の簡単な説明】
【００２３】
【図１】本発明のステム形状の斜視状態を示す説明図である。
【図２】図１のステムからなる内容物放出機構の静止モードを示す説明図である。
【図３】図２の内容物放出機構の作動モードを示す説明図である。
【発明を実施するための形態】
【００２４】
図１乃至図３を用いて本発明を実施するための形態を説明する。
以下の実施の形態では、単なる説明の便宜上、外部空間域への放出内容物の一例としてパウダーを用いる。
【００２５】
以下のアルファベット付き参照番号の構成要素（例えば直円筒状部１ａ）は原則として、その数字部分の構成要素（例えばステム１）の一部であることを示している。
【００２６】
これらの図において、
１はパウダーの通路域およびバルブ作用部として作動するステム，
１ａは静止モードのとき、その下端側外周面が後述のステムガスケット３の中央開口上側周面３ａと密接する態様で上下方向に面一の周面からなる小径ストレート形状の直円筒状部，
１ｂは内容物通過用のステム通路部，
１ｃは作動モードのとき、ステム通路部１ｂと後述のハウジング２の内部空間域とを連通させるパウダー流入用孔部としての、ステム孔部，
１ｄは直円筒状部１ａの下端から下方に連続態様で形成された、下広がりテーパ面状で環状のステム環状肩部，
１ｅはステム環状肩部１ｄの下端から下方に直円筒状部１ａとの連続態様で形成された、大径で下開口の鐘状部，
１ｆは鐘状部１ｅの外周面上端側にその周方向飛び飛びの形で設けられた計二十個の全体として環状の縦リブ状部，
１ｇは縦リブ状部１ｆの上端面であって、ステム環状肩部１ｄの下端から横方向に延びる水平上面，
１ｈは隣同士の縦リブ状部１ｆの間に下り傾斜底面と三個の縦側面とによって画定され、作動モードから静止モードへの復帰時に後述のステムガスケット３によってかき落とされるステム外周面付着のパウダーが、ステム環状肩部１ｄから落下する縦凹状スペース，
１ｊは縦凹状スペース１ｈを構成する外方下り傾斜状底面としての、外方下り傾斜のテーパ状底面，
１ｋは鐘状部１ｅの天井部分に形成されて後述のコイルスプリング４の上端部分を受ける下向き環凹状部，
をそれぞれ示している。
【００２７】
また、
２は後述のマウンティングカップ５に係合保持されて、後述の容器本体７から外部空間域へ放出されるパウダーが貯留・通過し、また、ステム１の下側部分が配設されるハウジング，
２ａは大径筒状のハウジング上部，
２ｂは小径筒状のハウジング下部、
２ｃはハウジング上部２ａの底面径方向から内周面縦方向へいたる連続態様で周方向飛び飛びに形成された計六個のＬ字リブ状部，
２ｄはＬ字リブ状部２ｃの水平面部分であって後述のコイルスプリング４の下端部分を受ける下端側上面，
２ｅは隣同士のＬ字リブ状部２ｃの間に形成されたＬ字溝状部，
２ｆはハウジング上部２ａとハウジング下部２ｂとを連通させる縦孔部，
２ｇは横孔部形状で周知のベーパタップ，
をそれぞれ示している。
【００２８】
また、
３は後述のマウンティングカップ５とハウジング２とに挟持されて、ステム孔部１ｃを、ステム初期位置の閉状態とステム下動位置の開状態とに選択的に設定する、すなわちステム１との間でバルブ作用を呈する環状のステムガスケット，
３ａは静止モードのとき、ステム１の直円筒状部１ａの下端側外周面と密接する中央開口上側周面，
３ｂは静止モードのとき、ステム環状肩部１ｄの外周面と密接する中央開口の周面下端側としての、中央開口下側周面，
３ｃは中央開口下側周面３ｂの下端部分から外側に連続して、静止モードのとき、縦リブ状部１ｆの水平上面１ｇと密接する中央開口の外近傍外側としての、内端側環状底面，
をそれぞれ示している。
【００２９】
また、
４はステム１の下向き環凹状部１ｋと、ハウジング２のＬ字リブ状部２ｃの下端側上面２ｄとの間に配設されて、ステム１を上方に付勢するコイルスプリング，
５は後述の容器本体７の開口端部側に取り付けられたマウンティングカップ，
６はハウジング下部２ｂに取り付けられたパウダー流入用のディップチューブ，
７はパウダーおよび噴射用ガスを収納した容器本体，
をそれぞれ示している。
【００３０】
また、
Ｓ１は作動モードのとき、容器本体７からディップチューブ６を介して縦孔部２ｆへと流入し、各Ｌ字溝状部２ｅを上方に通過してステム孔部１ｃからステム通路部１ｂへ向かいこれに続く操作ボタン側の放出口から外部空間域に噴射されるパウダー流れ，
を示している。
【００３１】
なお、図示のステム孔部１ｃの、静止モードにおける閉状態はハウジング内部空間域からのシャットオフ状態であり、作動モードにおける開状態はハウジング内部空間域との連通状態である。
【００３２】
以上の各構成要素の中、ステム１，ハウジング２およびディップチューブ６はプラスチック製のもので、例えばポリプロピレン，ポリエチレン，ポリアセタール，ナイロン，ポリブチレンテレフタレートなどからなる
【００３３】
ステムガスケット３はゴム製またはプラスチック製のもの、マウンティングカップ５は金属製のものである。コイルスプリング４および容器本体７はプラスチック製または金属製のものである。
【００３４】
図示の内容物放出機構の特徴は、
(21)図２の静止モードのとき、ガスケット下中央エッジ部分を、ステム環状肩部１ｄと縦リブ状部１ｆの水平上面１ｇとで分散して受け、すなわちステムガスケット３の中央開口下側周面３ｂがステム環状肩部１ｄに当接し、内端側環状底面３ｃが水平上面１ｇに当接し、
(22)ステム１は、下広がりテーパ面環状のステム環状肩部１ｄと、
この環状肩部の下端部分から下外方に連続設定されて、図３の作動モードから図２の静止モードへの復帰時にステムガスケット３でかき落とされるステム外周面付着のパウダーが落下する、縦凹状スペース１ｈと、を備え、
(23)縦凹状スペース１ｈは、ステム環状肩部１ｄの直下側となる外方下り傾斜のテーパ状底面１ｊを有する、
ことなどである。
【００３５】
図示の内容物放出機構は、このようにステム１の静止モード位置決め用の要素としてステム環状肩部１ｄのみではなく、その下端から外下側に連続形成された複数の縦リブ状部１ｆの上端面である水平上面１ｇも用いている。
【００３６】
この水平上面１ｇの併用にともない、ステム環状肩部のみでステム１の上下方向の静止モード位置を特定する場合よりも水平上面の径方向長さ分だけ短い径方向幅のステム環状肩部１ｄを用いえる。
【００３７】
すなわち、ステム環状肩部１ｄと水平上面１ｇとの全体径方向長さの上面部分がガスケット下中央エッジ部分に当接するので、ステム１は、ステム環状肩部１ｄの径方向幅を水平上面なしの場合のように長くしなくても、上下方向の静止モード位置へ安定的に保持される。
【００３８】
このステム環状肩部１ｄの径方向幅の短縮化にともない、静止モードにおいてステム環状肩部と常時密接するガスケット下中央エッジ部分の径方向外方への倣い変形の程度を抑えることができる。
【００３９】
また、外方下り傾斜のステム環状肩部１ｄの下端部分から外下側に複数の縦リブ状部１ｆが連続形成され、この隣同士の縦リブ状部間には外方下り傾斜のテーパ状底面１ｊからなる縦凹状スペース１ｈが設定されている。
【００４０】
このようなステム環状肩部１ｄから縦凹状スペース１ｈへと続く下り構成をとることにより、静止モードへの復帰時にガスケット下中央エッジ部分などでかき落とされる直円筒状部１ａやステム環状肩部１ｄの外周面付着パウダーは縦凹状スペース１ｈへ仮収容される。
【００４１】
この縦凹状スペース１ｈへのパウダー仮収容により、ステム環状肩部１ｄとステムガスケット３の中央開口下側周面３ｂとの間にいわば挟みこまれてしまう被かき落しパウダー量が激減する。
【００４２】
縦凹状スペース１ｈへ仮収容されたパウダーは概略、この凹状スペースのテーパ状底面１ｊを下方に移動してその下端部分からハウジング２の内部空間域に落下する。
【００４３】
図１のステム１は、概略、その上方から直円筒状部１ａと、ステム環状肩部１ｄと、鐘状部１ｅとを備えている。
【００４４】
鐘状部１ｅの上端側外周面には、ステム環状肩部１ｄの下端部分から個々に連続し、全体として環状の計二十個の縦リブ状部１ｆが形成され、隣同士の縦リブ状部間は縦凹状スペース１ｈとなっている。
【００４５】
縦凹状スペース１ｈは、テーパ状底面１ｊと、これの３辺からそれぞれ起立した形の左右側起立面および起立奥面とを有している。
【００４６】
図２の静止モードでは、
(31)ステム１がコイルスプリング４の弾性力により上方に付勢され、
(32)直円筒状部１ａの下端側外周面がステムガスケット３の中央開口上側周面３ａに密接 し、
(33)ステム環状肩部１ｄの外周面がステムガスケット３の中央開口下側周面３ｂに密接 し、
(34)縦リブ状部１ｆの水平上面１ｇがステムガスケット３の内端側環状底面３ｃに密接 し、
(35)ステム通路部１ｂがハウジング２の内部空間域と連通せず、容器本体７のパウダーが外部空間域に放出されない状態に設定されている。
【００４７】
図３の作動モード、すなわち利用者の内容物放出操作にともないステム１がコイルスプリング４の弾性力に抗しながら下動した状態では、
(41)ステム通路部１ｂがステム孔部１ｃを介してハウジング２の内部空間域と連通し、
(42)縦リブ状部１ｆの水平上面１ｇがステムガスケット３の環状露出下面から下方に離間し、
(43)ハウジング２の内面部分に形成されたＬ字溝状部２ｅを通りステム孔部１ｃおよびステム通路部１ｂを経て外部空間域に噴射される、パウダー流れＳ１が生じる。
【００４８】
内容物放出操作の終了にともない、ステム１は、コイルスプリング４の作用により上動して直円筒状部１ａ，ステム環状肩部１ｄおよび水平上面１ｇがそれぞれ中央開口上側周面３ａ，中央開口下側周面３ｂおよび内端側環状底面３ｃに密接した状態で停止する。
【００４９】
すなわち直円筒状部１ａより大径相当部分のステム環状肩部１ｄおよび水平上面１ｇを持つステム１は、ステムガスケット３から決して抜けることのない状態で静止モードに復帰する。
【００５０】
本発明が、図示の実施形態に限定されないことは勿論であって例えば、
(51)ステム孔部１ｃとステムガスケット３との配設関係を、図２の静止モードのときにこのステム孔部の流入側開口部がステムガスケット３で閉塞されるように設定する、
(52)ハウジング２の内周面の縦方向リブ状部（Ｌ字リブ状部２ｃの一部）を縦以外の任意方向のリブ状部に設定する、
(53)コイルスプリング４に代えて板バネなどの各種弾性部材を用いる、
ようにしてもよい。
【００５１】
以上の内容物放出機構を備えたエアゾール式製品としては、洗浄剤，清掃剤，制汗剤，忌避剤（殺虫剤），接着剤，塗料，食品，医薬品，医薬部外品，冷却剤，筋肉消炎剤，化粧品，頭髪用品，染毛剤，洗濯のり，消火器などがある。
【００５２】
容器本体に収納する内容物としては、液状，クリーム状，ゲル状など種々の形態のものを用いることができ、内容物に配合される成分としては例えば、粉状物（パウダー），油成分，アルコール類，界面活性剤，高分子化合物，各用途に応じた有効成分，水などが挙げられる。
【００５３】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロースおよびこれらの混合物などを用いる。
【００５４】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００５５】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００５６】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００５７】
高分子化合物としては、メチルセルロース，ゼラチン，デンプン，カゼイン，ヒドロキシエチルセルロース，キサンタンガム，カルボキシビニルポリマーなどを用いる。
【００５８】
各用途に応じた有効成分としては、サリチル酸メチル，インドメタシンなどの消炎鎮痛剤、安息香酸ナトリウム，クレゾールなどの除菌剤、ピレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００５９】
さらに、上記内容物以外の、懸濁剤，紫外線吸収剤，乳化剤，保湿剤，酸化防止剤、金属イオン封鎖剤なども用いる。
【００６０】
内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００６１】
１：ステム
１ａ：小径ストレート形状の直円筒状部
１ｂ：ステム通路部
１ｃ：ステム孔部
１ｄ：ステム環状肩部
１ｅ：鐘状部
１ｆ：縦リブ状部
１ｇ：水平上面
１ｈ：縦凹状スペース
１ｊ：外方下り傾斜のテーパ状底面
１ｋ：下向き環凹状部【００６２】
２：ハウジング
２ａ：ハウジング上部
２ｂ：ハウジング下部
２ｃ：Ｌ字リブ状部
２ｄ：下端側上面
２ｅ：Ｌ字溝状部
２ｆ：縦孔部
２ｇ：ベーパタップ【００６３】
３：ステムガスケット
３ａ：中央開口上側周面
３ｂ：中央開口下側周面
３ｃ：内端側環状底面【００６４】
４：コイルスプリング
５：マウンティングカップ
６：ディップチューブ
７：容器本体
Ｓ１：パウダー流れ
【図１】
2017115546.tif 000003
【図２】
2017115546.tif 000004
【図３】
2017115546.tif 000005
【国際調査報告】
2017115546.tif 000006
2017115546.tif 000007
2017115546.tif 000008
2017115546.tif 000009